(57)【要約】      （修正有）【課題】簡単に所望の大きさの写真アルバムを作成できる印刷用はくり紙を提供する。【解決手段】表面がプリンタで写真や文字等をプリントできる印刷面３であり、裏面が粘着面４であるシール紙２と、シール紙２の粘着面４が貼着された離型紙５とを備える。シール紙２は、印刷領域６と切除領域７との境界が予め切断されて印刷領域６が切除領域７から切り離して離型紙５から剥がせるように形成される。離型紙５から剥がし取られた印刷領域６は、冊子状に複数のページ部が形成されるようにジャバラ状に折り畳んで裏面の粘着面４同士を貼り合わせ可能に構成され、かつ、粘着面４が繰り返し剥がして貼り合わせ可能な弱粘着剤により形成されている。【選択図】図１
0003154715.tif 000002
【実用新案登録請求の範囲】
【請求項１】
表面がプリンタで写真や文字等をプリントできる印刷面であり、裏面が粘着面であるシール紙と、
前記シール紙の粘着面が貼着された離型紙とを備え、
前記シール紙は、印刷領域と切除領域との境界が予め切断されて印刷領域が切除領域から切り離して離型紙から剥がせるように形成され、
前記離型紙から剥がし取られた印刷領域は、冊子状に複数のページ部が形成されるようにジャバラ状に折り畳んで裏面の粘着面同士を貼り合わせ可能に構成され、かつ、前記粘着面が繰り返し剥がして貼り合わせ可能な弱粘着剤により形成されている印刷用はくり紙。
【請求項２】
請求項１に記載の印刷用はくり紙において、
印刷領域には、ジャバラ状に折り畳めるようにミシン目及び／又は罫線が形成されている印刷用はくり紙。
【請求項３】
表面がプリンタで写真や文字等をプリントできる印刷面であり、裏面が粘着面であるシール紙と、
前記シール紙の粘着面が貼着された離型紙とを備え、
前記シール紙は、印刷領域と切除領域との境界が予め切断されて印刷領域が切除領域から切り離して離型紙から剥がせるように形成され、
前記シール紙には、同形及び同サイズの前記印刷領域が少なくとも２つ形成され、
各印刷領域は、左右にそれぞれ１つのページ部が形成されると共に、折り曲げることができるようにミシン目又は罫線からなる中心線が形成され、
これら印刷領域は、前記離型紙から剥がし取られて互いの１つのページ部における裏面の粘着面同士を貼り合わせ可能に構成され、かつ、前記粘着面が繰り返し剥がして貼り合わせ可能な弱粘着剤により形成されている印刷用はくり紙。
【請求項４】
請求項１乃至３の何れかに記載の印刷用はくり紙において、
印刷領域は、離型紙から剥がし取って複数のページ部からなる冊子状に形成された状態でページ部を見開くとハート形状、四角形状などの所望形状となる印刷用はくり紙。
【請求項５】
請求項１乃至４の何れかに記載の印刷用はくり紙から剥がし取られ冊子状に形成された印刷領域を内側に保持する見開き・折り畳み可能な表紙から構成されたカバーであって、
前記表紙の見開いた状態は、冊子状の印刷領域のページ部を見開いた形状と同形で、かつ、一回り大きい形状を有し、
前記表紙の内側面が前記冊子状に形成された印刷領域における両端のページ部裏面の粘着面の貼り合せ部になっているカバー。
【請求項６】
請求項１乃至４の何れかに記載の印刷用はくり紙から剥がし取られ冊子状に形成された印刷領域を内側に保持する見開き・折り畳み可能な表紙から構成されたカバーであって、
前記表紙の見開いた状態は、冊子状の印刷領域のページ部を見開いた形状と同形で、かつ、一回り大きい形状を有し、
前記表紙の内側面には、前記冊子状に形成された印刷領域における両端のページ部を各々挿入可能なポケット部が形成されているカバー。
【考案の詳細な説明】
【技術分野】
【０００１】
本考案は、例えば、記録媒体から読み込んだ写真データや文字等が印刷された後、複数のページ部を有するように冊子状に折り曲げられる印刷用はくり紙及び冊子状に折り曲げられた印刷用はくり紙が取り付けられるカバーに関する。
【背景技術】
【０００２】
従来、写真印刷専用の用紙は、Ｌ判のように１枚の写真を作製するものである。そして、一般に、多数の写真を見易くするアルバムを作るために、ポケットアルバムの多数の写真ポケットに一枚ずつ写真を入れてアルバムにしたり、粘着性を有する台紙上に写真を並べた後、フィルムで覆ってアルバムにしたりしている（例えば特許文献１参照。）
【先行技術文献】
【特許文献】
【０００３】
【特許文献１】特許第３６７６２９３号公報
【考案の概要】
【考案が解決しようとする課題】
【０００４】
ところで、従来の写真用紙では、多数の写真データを写真とするには、１枚ずつプリントする必要がある。写真ポケットを複数有するアルバムや、粘着面をフィルムで覆うようにしたアルバムを用いる場合、一枚ずつ写真を写真ポケットに入れる作業や、台紙上に複数の写真を配置させてフィルムで覆う煩雑な作業を要する。
【０００５】
本考案は、上記事情に鑑みてなされたものであり、簡単に所望の大きさの写真アルバムを作成できる印刷用はくり紙及びカバーを提供することを目的とする。
【課題を解決するための手段】
【０００６】
本考案に係る印刷用はくり紙は、表面がプリンタで写真や文字等をプリントできる印刷面であり、裏面が粘着面であるシール紙と、前記シール紙の粘着面が貼着された離型紙とを備え、前記シール紙は、印刷領域と切除領域との境界が予め切断されて印刷領域が切除領域から切り離して離型紙から剥がせるように形成され、前記離型紙から剥がし取られた印刷領域は、冊子状に複数のページ部が形成されるようにジャバラ状に折り畳んで裏面の粘着面同士を貼り合わせ可能に構成され、かつ、前記粘着面が繰り返し剥がして貼り合わせ可能な弱粘着剤により形成されている。
【０００７】
このような構成により、画像等が印刷された印刷用はくり紙の印刷領域を離型紙から剥がし取ってジャバラ状に折り畳んで粘着面同士を貼り合わせることにより、簡単に冊子状に複数のページ部を形成することができる。しかも、前記粘着面は、弱粘着剤で形成されているため、印刷用はくり紙の印刷領域を折り曲げて粘着面同士を貼り合わせる際に、位置がずれたとしても、粘着力が弱いので、剥がして簡単に貼り直しができ、仕上がりの美しいアルバムを製作できる。
【０００８】
また、本考案の印刷用はくり紙は、印刷領域に、ジャバラ状に折り畳めるようにミシン目及び／又は罫線を形成することが好ましい。
これにより、ミシン目又は罫線に沿って山折り又は谷折りに綺麗に折り曲げることができるので、より美しいアルバムに仕上げることができる。なお、罫線は、例えば、押し圧により直線状の凹みを形成することにより得られる。
【０００９】
本考案に係る印刷用はくり紙は、表面がプリンタで写真や文字等をプリントできる印刷面であり、裏面が粘着面であるシール紙と、前記シール紙の粘着面が貼着された離型紙とを備え、前記シール紙は、印刷領域と切除領域との境界が予め切断されて印刷領域が切除領域から切り離して離型紙から剥がせるように形成され、前記シール紙には、同形及び同サイズの前記印刷領域が少なくとも２つ形成され、各印刷領域は、左右にそれぞれ１つのページ部が形成されると共に、折り曲げることができるようにミシン目又は罫線からなる中心線が形成され、これら印刷領域は、前記離型紙から剥がし取られて互いの１つのページ部における裏面の粘着面同士を貼り合わせ可能に構成され、かつ、前記粘着面が繰り返し剥がして貼り合わせ可能な弱粘着剤により形成されている。
【００１０】
このような構成により、画像等が印刷された印刷用はくり紙の各印刷領域を離型紙から剥がし取って、対向する裏面の形状が一致するように互いの１つのページ部における裏面の粘着面同士を貼り合わせて冊子状に複数のページ部を形成することができる。しかも、前記粘着面は、弱粘着剤で形成されているため、印刷用はくり紙の印刷領域を中心線で折り曲げて異なる印刷領域の粘着面同士を貼り合わせる際に、位置がずれたとしても、粘着力が弱いので、剥がして簡単に貼り直しができ、仕上がりの美しいアルバムを製作できる。
【００１１】
さらに、本考案の印刷用はくり紙は、印刷領域が、離型紙から剥がし取って複数のページ部からなる冊子状に形成された状態でページ部を見開くとハート形状、四角形状などの所望形状に形成することが好ましい。これにより、使用者の好みに応じて見開いた状態の前記ページ部の形状を所望の形状にすることができる。
【００１２】
さらに、本考案の印刷用はくり紙から剥がし取られて冊子状に形成された印刷領域が取り付けられるカバーは、冊子状の印刷領域を内側に保持する見開き・折り畳み可能な表紙から構成されたカバーであって、前記表紙の見開いた状態は、冊子状の印刷領域のページ部を見開いた形状と同形で、かつ、一回り大きい形状を有し、前記表紙の内側面が前記冊子状に形成された印刷領域における両端のページ部裏面の粘着面の貼り合せ部になっている。
このような構成により、冊子状に形成された印刷領域における両端のページ部の裏面粘着面をカバーの貼り合せ部に貼り合わせるだけで、表紙のしっかりしたアルバムを形成できる。
【００１３】
さらに、本考案の印刷用はくり紙から剥がし取られて冊子状に形成された印刷領域が取り付けられるカバーは、冊子状の印刷領域を内側に保持する見開き・折り畳み可能な表紙から構成されたカバーであって、前記表紙の見開いた状態は、冊子状の印刷領域のページ部を見開いた形状と同形で、かつ、一回り大きい形状を有し、前記表紙の内側面には、前記冊子状に形成された印刷領域における両端のページ部を各々挿入可能なポケット部が形成されるようにすることもできる。
このような構成により、冊子状に形成された印刷領域における両端のページ部を粘着面同士が貼り合わされた状態にしておいて、これら両端のページ部をカバーのポケット部に挿入するだけで、表紙のしっかりしたアルバムを形成できる。
【考案の効果】
【００１４】
以上のように、本考案の印刷用はくり紙を用いることにより、所望の大きさで簡単にアルバムを作製でき、さらに、粘着面同士を貼り合わせる際にも、粘着面が弱粘着剤で形成されているために、貼り合わせ位置がずれたとしても貼り合わせ面を剥がして簡単に貼り直しをすることができるので、粘着面同士を常に位置が合わされた状態に貼り合わすことができ、仕上がりの美しいアルバムを作製できる。
【００１５】
また、本考案の印刷用はくり紙から剥がし取られて冊子状に形成された印刷領域が取り付けられるカバーは、冊子状に形成された印刷領域における両端のページ部の裏面粘着面をカバーの貼り合せ部に貼り合わせて表紙のしっかりしたアルバムを形成したり、冊子状に形成された印刷領域における両端のページ部を粘着面同士が貼り合わされた状態にしておいて、これら両端のページ部をカバーのポケット部に挿入して表紙のしっかりしたアルバムを形成したりすることができる。
【図面の簡単な説明】
【００１６】
【図１】本実施形態１による印刷用はくり紙であって、ページ部がハート形状となる長尺な印刷領域が４段形成された状態を示す平面図である。
【図２】本実施形態１による印刷用はくり紙であって、離型紙からシール紙の印刷領域のみを剥がした状態を示す平面図である。
【図３】本実施形態１による印刷用はくり紙であって、離型紙から剥がされた印刷領域の折り曲げ方を示す説明図である。
【図４】図３の印刷領域を折り曲げて、粘着面同士が貼り合わされた状態を示す説明図である。
【図５】本実施形態１による印刷用はくり紙であって、粘着面同士が貼り合わされた状態の印刷領域と、この印刷領域が取り付けられるカバーとを示す分解斜視図である。
【図６】本実施形態１による印刷用はくり紙の冊子状に形成された印刷領域がカバーに取り付けられて形成された携帯電話機用ストラップを携帯電話機に取り付けた状態を示す斜視図である。
【図７】本実施形態２による印刷用はくり紙であって、粘着面が露出しないように粘着面同士が貼り合わされた状態の印刷領域と、この印刷領域の端部ページ部が挿入されるポケット部を有するカバーとを示す分解斜視図である。
【図８】本実施形態３による印刷用はくり紙であって、ページ部の開き状態がハート形状となる長尺な印刷領域が２段形成された状態を示す平面図である。
【図９】本実施形態４による印刷用はくり紙であって、ページ部の開き状態がハート形状となる長尺な印刷領域が３段形成された状態を示す平面図である。
【図１０】本実施形態５による印刷用はくり紙であって、ページ部が四角形となる長尺な印刷領域が３段形成された状態を示す印刷用はくり紙の平面図と、この印刷用はくり紙から剥がされた印刷領域の折り曲げ状態を示す斜視図である。
【図１１】本実施形態５による印刷用はくり紙において、印刷領域部分を折り曲げて、粘着面同士が貼り合わされて冊子状に形成された状態を示す斜視図である。
【図１２】本実施形態５に係る印刷領域が取り付けられるカバーの斜視図である。
【図１３】本実施形態５による印刷用はくり紙の冊子状に形成された印刷領域がカバーに取り付けられて形成された携帯電話機用ストラップを携帯電話機に取り付けた状態を示す斜視図である。
【図１４】本実施形態６による印刷用はくり紙であって、粘着面が露出しないように粘着面同士が貼り合わされた状態の印刷領域と、この印刷領域の端部ページ部が挿入されるポケット部を有するカバーとを示す分解斜視図である。
【図１５】本実施形態７による印刷用はくり紙であって、ページ部の開き状態がハート形状となる印刷領域が２段形成された状態を示す平面図である。
【図１６】本実施形態８による印刷用はくり紙であって、ページ部の開き状態が長方形状となる印刷領域が３段形成された状態を示す平面図である。
【図１７】本実施形態７による印刷用はくり紙の２枚の印刷領域の粘着面同士が貼り合わされた状態と、この印刷領域が取り付けられるカバーとを示す分解斜視図である。
【図１８】本実施形態７による印刷用はくり紙の３枚の印刷領域を粘着面が露出しないように粘着面同士が貼り合わされた状態の印刷領域と、これら印刷領域の端部ページ部が挿入されるポケット部を有するカバーとを示す分解斜視図である。
【考案を実施するための形態】
【００１７】
以下に、本考案の実施形態１に係る印刷用はくり紙について添付図面を参照しながら説明する。図１は、画像が印刷された印刷用はくり紙１ａの平面図が示されている。
【００１８】
印刷用はくり紙１ａは、表面が画像が印刷される印刷面３となり、裏面が粘着面４となるシール紙２と、このシール紙２の粘着面４が貼り合わされる離型紙５とを有する。印刷用はくり紙１ａは、所定の形状の印刷領域６と切除領域７とに切断された状態のシール紙２が離型紙５に貼り合わされている。
【００１９】
シール紙２は、表面に画像データが印字され、裏面は粘着面４となっている。シール紙２としては、表面が光沢を有する写真用光沢紙を使用すると、写真画像を印刷した際に、きれいな仕上りにすることができる。シール紙２の裏面は、弱粘着剤が塗布されて粘着面４が形成されている。弱粘着剤は、一旦貼り合わせた後に、剥がして再度貼り合わせることができる程度の粘着力のものを用いている。
【００２０】
シール紙２は、画像が印刷される印刷領域６と、排除される切除領域７とに分かれており、印刷領域６と切除領域７とが切断線８によって切断された状態で、離型紙５にシール紙２が貼り合わされて印刷用はくり紙１ａが形成されている。
【００２１】
本実施形態１の印刷用はくり紙１ａは、図１に示すように、ハート形状が横並びに４つ連続した状態の印刷領域６が上下に４段形成されている。横長の一つの印刷領域６には、ハート形状の中心にミシン目６１が形成され、隣接するハート形状の境界部分に押し圧による凹み部６２が形成され、ミシン目６１と凹み部６２とが横方向に交互に形成されている。なお、凹み部６２が本考案の罫線となる。
【００２２】
そして、ハート形状の半分の領域に１枚の画像が印刷されるようになっており、本実施形態１では、図１に示すように、一つの印刷領域６に、８枚分の画像を印刷することができ、１枚の印刷用はくり紙１ａには４段の印刷領域６が形成されているので、１枚の印刷用はくり紙１ａには、合計３２枚分の画像を印刷できる。なお、印刷領域６には、写真画像だけでなく、絵や文字等を印刷することもできる。
【００２３】
印刷領域６と切除領域７とに分割されている印刷用はくり紙１ａに対して、パーソナルコンピュータ及びプリンタを用いて印刷領域６に画像データを印刷する。まず、印刷する前に、パーソナルコンピュータにより、画像の向き、順番、位置、画像の枚数が設定されて、プリンタによりその設定条件でシール紙２の印刷面３における印刷領域６に画像が印刷される。
【００２４】
印刷が終了すると、印刷用はくり紙１ａの切断線８に沿って、印刷領域６の部分を離型紙５から剥がすと図２に示した状態になる。本実施形態１では、ミシン目６１は切断しない。図３に示すように、離型紙５から剥がされたシール紙２の印刷領域６の部分は、ミシン目６１において谷折に折り曲げられ、凹み部６２において山折りに折り曲げられる。折り曲げられると、粘着面４同士が対向するので、粘着面４同士を粘着面４がずれないように貼り合わせる。なお、粘着面４は、弱粘着剤で形成されているので、貼り合わせの位置がずれた場合には、剥がして簡単に貼り合わせをやり直すことができる。
【００２５】
そして、図４に示すように、折り曲げ線であるミシン目６１を谷折りに折り曲げ、凹み部６２を山折りに折り曲げて、対向する粘着面同士を貼り合わせていき、シール紙２の印刷領域６を冊子状に形成する。このように、印刷領域６をミシン目６１と凹み部６２とにおいて折り曲げ、粘着面４同士を貼り合わせると、図５に示すように、シール紙２の印刷領域６は、ハート形状の半分の領域が１ページ分となるページ部９が複数形成された冊子状になる。
【００２６】
このとき、粘着面４の弱粘着剤として、経時的に粘着力が強くなるものを使用できる。この場合、粘着面４同士を貼り合わせて印刷領域６を冊子状に形成する際には、容易に貼り直しができるので位置ずれの無い冊子状に形成でき、時間経過すると、粘着面４の貼り合わせが強固になり、印刷領域６が冊子状に良好に形状維持される。
【００２７】
さらに、図５に示すように、表表紙と裏表紙が一体となったカバー１０を作製し、このカバー１０の内側の面の貼り合せ部１０ａに、冊子状に折り曲げられたシール紙２の印刷領域６における露出された粘着面４を貼り付けると、カバー１０で冊子状の印刷領域６が覆われたアルバム１１が仕上がる。図５のアルバム１１は、図６に示すように、携帯電話機１２に取り付けられるストラップタイプのアルバム１１である。なお、カバー１０は、シート状の芯材に着色した合成樹脂シートや布や紙で覆って形成してもよい。
【００２８】
また、図５に示す冊子状に折り曲げた印刷領域６は、粘着面４が露出するので、この露出された粘着面４同士を貼り合わせて画像が印刷されたページ部９のみとなるように冊子状に形成することもできる。さらには、図７に示す実施形態２のように、ハート型の半分が端になるように印刷領域６を形成し、端に粘着面４が露出しないように粘着面４同士を貼り合わせて冊子状に形成することもできる。なお、図７に示す印刷領域６は実施形態１と同じ構成部分は同じ符号で示している。この場合には、図７に示すように、カバー１０を透明のシートで形成すると共に、折り曲げて冊子状に形成された印刷領域６の端のページ部９を差し込むポケット部１０ｂを内面側に形成し、このポケット部１０ｂにページ部９を差し込むことにより、カバー１０の外側から印刷された画像が表紙となって現れるアルバム１１を作製することができる。
【００２９】
また、本実施形態１では、ページ部９の１ページ分の大きさは、携帯電話機１２のストラップに用いるためにハート半分の大きさが、幅３．５ｃｍ未満、縦４ｃｍ未満と小さく形成している。しかしながら、１ページ分の大きさは、カバンに入る程度の手帳の大きさや、名刺サイズの大きさなど、所望の大きさにすることもできる。
【００３０】
そして、実施形態１では、１つの印刷領域６から８ページ分が形成されるようになっているが、所望のページ数に形成することができ、また、複数の印刷領域６を連結させて冊子状に形成してもよい。
【００３１】
さらに、印刷用はくり紙１ａに形成する印刷領域６は、図８に示す実施形態３のように、上下に２段形成するようにしてもよいし、図９に示す実施形態４のように、上下に３段形成するようにしてもよいし、任意の段数に形成することができる。なお、図８及び図９も同じ構成部分は、同じ符号で示している。
【００３２】
さらに、上記各実施形態は、ハート型となるように印刷領域６を形成したが、図１０及び図１１に示す実施形態５の印刷用はくり紙１ｂのように折り曲げて冊子状にしたときに四角形になるように形成してもよい。
【００３３】
図１０に示す印刷用はくり紙１ｂは、６ページ分が形成される印刷領域６が上下に３段形成されている。この場合、３段分の印刷領域６を離型紙５から剥がした後、ミシン目６１を谷折りにし、凹み部６２を山折りにして、それぞれの端部の粘着面４同士を貼り合わせることにより、合計１８ページの冊子状のアルバムを形成できる。この場合も、最も端の粘着面４は露出した状態になるので、図１２に示すように表表紙と裏表紙とが一体となった四角形状のカバー１０の内面に形成する貼り合せ部１０ａに貼り合わせることにより表紙を有するアルバム１１を形成することができる。この場合も、図１３に示すように、携帯電話機１２に取り付けるストラップタイプのアルバム１１とすることができる。なお、実施形態５の印刷用はくり紙１ｂも、実施形態１と同じ構成部分は、同じ符号で示している。また、印刷領域６は、ページ数、段数ともに任意の数に形成することができる。
【００３４】
また、図１１に示す冊子状に折り曲げた印刷領域６は、粘着面４が露出するので、この露出された粘着面４同士を貼り合わせて画像が印刷されたページ部９のみとなるように冊子状に形成することもできる。さらには、図１４に示す実施形態６のように、印刷領域６は、端に粘着面４が露出しないように冊子状に形成することもできる。なお、図１４に示す印刷領域６は実施形態５と同じ構成部分は同じ符号で示している。この場合には、図１４に示すように、カバー１０を透明のシートで形成すると共に、折り曲げて冊子状に形成された印刷領域６の端のページ部９を差し込むポケット部１０ｂを内面側に形成し、このポケット部１０ｂにページ部９を差し込むことにより、カバー１０の外側から印刷された画像が表紙となって現れるアルバム１１を作製することができる。
【００３５】
さらに、ハート型の印刷領域６を形成する場合、１枚の印刷用はくり紙１ａに、１つのハート型の印刷領域６を同形及び同サイズとなるように２以上形成することもできる。例えば、図１５の実施形態７に示すように、Ａ４サイズの１枚の印刷用はくり紙１ａに、１つのハート型の印刷領域６を上下に２段形成することができる。この場合、ハート型の印刷領域６の左右にそれぞれ１つのページ部が形成され、ハートの中心線がミシン目６１で形成されている。
【００３６】
また、四角形の印刷領域６を形成する場合も、１枚の印刷用はくり紙１ｂに、１つの長方形の印刷領域６を同形及び同サイズとなるように２以上形成することができる。例えば、図１６の実施形態８に示すように、Ａ４サイズの１枚の印刷用はくり紙１ｂに、１つの長方形の印刷領域６を同形及び同サイズとなるように上下に３段形成することができる。この場合、長方形の印刷領域６の左右にそれぞれ１つのページ部が形成され、長方形の長辺を２分する中心線がミシン目６１で形成されている。なお、図１５及び図１９も上記実施形態と同じ構成部分は、同じ符号で示している。
【００３７】
さらに、実施形態７及び８の印刷領域６は、例えばハート型の印刷領域６を用いる場合、図１７に示すように、２枚の印刷領域６を用いて冊子状に形成することができる。この場合、２枚の印刷領域６を離型紙５から剥がした後、ミシン目６１を谷折りにし、対向する裏面が同形となるようにハート型の半分の粘着面４同士を貼り合わせた後、露出した粘着面４をカバー１０の内面に形成する貼り合せ部１０ａに貼り合わせることにより合計４ページの冊子状のアルバム１１を形成できる。
【００３８】
また、図１８に示すように、印刷領域６は、端に粘着面４が露出しないように冊子状に形成することもできる。この場合には、実施形態７の印刷用はくり紙１ａから２枚の印刷領域６を剥がし、２枚の印刷領域６を対向する裏面が同形となるようにハート型の粘着面４同士を貼り合わせて粘着面４が露出しない冊子状に形成する。そして、カバー１０は、透明のシートで形成すると共に、２枚の印刷領域６が貼り合わされた冊子状の各ページ部９を差し込むポケット部１０ｂを内面側に形成し、このポケット部１０ｂにページ部９を差し込むことにより、カバー１０の外側から印刷された画像が表紙となって現れる合計４ページのアルバム１１を作製することができる。
【００３９】
このように、上記各実施形態に係る印刷用はくり紙は、複数枚の写真を個別に写真ポケットに収納してアルバムを作製する場合にくらべて、簡単に印刷製本されたアルバムを短時間で作製することができる。
【００４０】
なお、本考案は、上記実施形態に限定されるものでなく本考案の範囲内で種々の変更を施すことができる。例えば、ページ部の形状は、四角形状やハート型に限らず、開いた状態で星型、丸型、花型など所望の形状にすることができる。
【符号の説明】
【００４１】
１ａ，１ｂ  印刷用はくり紙
２  シール紙
３  印刷面
４  粘着面
５  離型紙
６  印刷領域
７  切除領域
８  切断線
９  ページ部
１０  カバー
１０ａ  貼り合せ部
１０ｂ  ポケット部
１１  アルバム
１２  携帯電話機
６１  ミシン目
６２  凹み部
【図１】
0003154715.tif 000003
【図２】
0003154715.tif 000004
【図３】
0003154715.tif 000005
【図４】
0003154715.tif 000006
【図５】
0003154715.tif 000007
【図６】
0003154715.tif 000008
【図７】
0003154715.tif 000009
【図８】
0003154715.tif 000010
【図９】
0003154715.tif 000011
【図１０】
0003154715.tif 000012
【図１１】
0003154715.tif 000013
【図１２】
0003154715.tif 000014
【図１３】
0003154715.tif 000015
【図１４】
0003154715.tif 000016
【図１５】
0003154715.tif 000017
【図１６】
0003154715.tif 000018
【図１７】
0003154715.tif 000019
【図１８】
0003154715.tif 000020